(57)【要約】【課題】柱材や梁材の鉄骨の断面が小さくても施工性の高い柱材と梁材との連結構造を提供すること。【解決手段】建築物平面の梁間方向に架設する梁材と桁行方向に架設する梁材との交点に配置される連結部材を中心として前記梁材上にトラス構造を呈する斜材を配置してある建築物に用いる柱材と梁材との連結構造において、前記連結部材の上下端は前記柱材と連結可能に構成し、前記連結部材の側面のうち少なくとも一面に、梁間方向或いは桁行方向に張り出した張出部を設けてあり、前記張出部の先端は、当該連結部材の内部に埋め込まれた板材を露出してあり、前記板材と梁材の端部とを固定することにより、前記柱材と梁材とを連結してあることを特徴とする。【選択図】図１
0003126689.tif 000002
【実用新案登録請求の範囲】
【請求項１】
建築物平面の梁間方向に架設する梁材と桁行方向に架設する梁材との交点に配置される連結部材を中心として前記梁材上にトラス構造を呈する斜材を配置してある建築物に用いる柱材と梁材との連結構造において、
前記連結部材の上下端は前記柱材と連結可能に構成し、
前記連結部材の側面のうち少なくとも一面に、梁間方向或いは桁行方向に張り出した張出部を設けてあり、
前記張出部の先端は、当該連結部材の内部に埋め込まれた板材を露出してあり、
前記板材と梁材の端部とを固定することにより、前記柱材と梁材とを連結してあることを特徴とする、
柱材と梁材との連結構造。
【考案の詳細な説明】
【技術分野】
【０００１】
本考案は、建築物における柱材と梁材との連結構造、特に建築物平面の梁間方向に架設する梁材と桁行方向に架設する梁材との交点に配置される柱材を中心として前記梁材上にトラス構造の斜材を配置してある建築物における柱材と梁材との連結構造に関するものである。
【背景技術】
【０００２】
従来の建築物には、建築物の出隅部、すなわち梁間方向に架設する梁材と桁行方向に架設する梁材との交点を中心としてトラス柱を平面略Ｌ字上に配設し、前記トラス柱によって構成される構面でもって前記出隅部の応力を分散させることにより、当該出隅部の直下部分の基礎を省略できる構造が知られている。
当該構造の特徴は、トラス柱の出隅部に位置する中柱を基礎と連結させないことでトラス柱の剛性が下がるため、架構の振動周期が長くなり、高い制振効果を得ることができるというものである。
【０００３】
前記構造を有する建築物は地震などによってせん断力が発生しても、当該せん断力をトラス構造の斜材（ブレース）が負担するため、梁材が負担するせん断力を著しく小さくすることができるため、柱材や梁材の断面もまた小さくすることができ、結果的に柱材や梁材の重量を軽くすることができる。
【特許文献１】特開２００２−３２７４９２号公報
【考案の開示】
【考案が解決しようとする課題】
【０００４】
しかし、柱材や梁材の鉄骨の断面が小さくなると、現場で鉄骨のみを建て込むことは困難となる場合がある。
【０００５】
そこで、本考案は、上記の問題を解決することのできる、柱材と梁材の連結構造を提供することを目的とする。
【課題を解決するための手段】
【０００６】
そこで、本願の第１考案は、建築物平面の梁間方向に架設する梁材と桁行方向に架設する梁材との交点に配置される連結部材を中心として前記梁材上にトラス構造を呈する斜材を配置してある建築物に用いる柱材と梁材との連結構造において、前記連結部材の上下端は前記柱材と連結可能に構成し、前記連結部材の側面のうち少なくとも一面に、梁間方向或いは桁行方向に張り出した張出部を設けてあり、前記張出部の先端は、当該連結部材の内部に埋め込まれた板材を露出してあり、前記板材と梁材の端部とを固定することにより、前記柱材と梁材とを連結してあることを特徴とする、柱材と梁材との連結構造であることを要旨としている。
【考案の効果】
【０００７】
以上のように、本考案によると下記の効果のうち、少なくとも一つを得ることができる。
（１）柱材や梁材をプレキャストコンクリート製とすることにより品質の制度が向上するとともに、連結部材でもって現場で連結作業を行うことができるため、現場での省力化に寄与し、工期の短縮が可能となる。
（２）従来の工法と比較して柱材と梁材の重量を軽くしつつも、制震性及び安全性の高い構造物の設計が可能となる。
【考案を実施するための最良の形態】
【０００８】
以下、図面を参照しながら本考案の実施の形態について説明する。
【実施例】
【０００９】
図１に本考案に係る柱材と梁材の連結構造の詳細を示す。
本考案の柱材と梁材の連結構造を採用した建築物は、建築物平面の梁間方向に架設する梁材Ｂと桁行方向に架設する梁材Ｂとの交点に配置される連結部材Ａを中心として前記梁材Ｂ上にトラス構造を形成する斜材（図示せず）を配置してあることを前提としたものである。
なお、連結部材Ａ同様の長手方向の長さは、当該建築物の２階層以上の高さを有することを前提とするものであり、斜材も当該建築物の２階層部分以上に跨って配置されることを前提とするものである。
【００１０】
（１）柱材Ｃ・梁材Ｂ
柱材Ｃ及び梁材Ｂには主として鉄骨入りのプレキャストコンクリート柱や、鉄筋コンクリート、鋼管及びＨ鋼などを用いることができる。柱材Ｃの端部は後述する連結部材Ａの端部と溶接或いはボルトなどの周知の接合方法によって固定可能に構成し、梁材Ｂの端部も前記連結部材Ａの張出部３の先端から露出した板材４と周知の接合方法によって固定可能に構成される。
【００１１】
（２）斜材
斜材には主として鉄骨とＲＣとを合成した部材を用いるものとする。斜材の端部は、図１に示すように、建築物平面の梁間方向に架設する梁材Ｂと桁行方向に架設する梁材Ｂとの交点に配置される連結部材Ａに取りつけられ、当該連結部材Ａを中心として、前記梁材Ｂ上にトラス構造の柱群を配置する。
【００１２】
（３）連結部材Ａ
連結部材Ａは主として工場において製作されるプレキャスト製品であることを前提としている。
図１に示すように、連結部材Ａの長手方向（柱の高さ方向）の内部には、鉄骨となる鋼管１を配置してあり、前記鋼管１の周囲には複数の主筋２が配置されている。  
前記鋼管１には平面断面が円形状や多角形状のパイプを使用することができるものとし、前記複数の主筋２は一定間隔でスターラップ５などによって束ねておく。
【００１３】
また、当該連結部材Ａの上下端は、必要に応じて柱材Ｃと連結可能な構成としておく。前記連結部材Ａと柱材Ｃとの連結方法としては、例えばボルト止めや、溶接などによって固定する方法が挙げられる。
【００１４】
［板材との取付部］
前記張出部３の先端は、当該連結部材Ａの内部に埋め込まれた板材４を露出してあり、また、鋼管１と板材４との交点部分を平面からみて潰れた断面形状としておくと、張出部３の板材４をボルトなどによって取りつけやすくすることができる。より詳しくは、梁間方向及び桁行方向の２方向に梁材Ｂが連結される場合には、前記鋼管１の平面の断面形状が、前記梁間方向及び桁行方向に沿って十字形状となることが望ましい。（図２）
【００１５】
［梁材との連結部］
前記連結部材Ａと梁材Ｂとの連結部、すなわち前記連結部材Ａの側面のうち少なくとも一面には、梁間方向或いは桁行方向に若干張り出した張出部３を設けておく。
張出部３は主にハーフプレキャスト製品を前提とするものである。
張出部３の上面はスターラップ５が一部露出しておき床用のオムニヤ版などを載置可能であってコンクリートモルタルなどの充填材を打設して床面を形成可能に構成する。
また、当該張出部３の先端部は前記連結部材Ａの内部の鋼管１に固定されている板材４を露出しておく。
梁材Ｂと板材４との連結方法に締結構造を採用する際には前記板材の露出部分に取りつけ孔を設けておくことは言うまでもない。
なお、前記板材４は平板に限定されるものではなく、H鋼などを使用しても良い。
【００１６】
［他の実施例］
なお、本実施例においては、柱材Ｃと連結部材Ａを便宜的に分離して説明しているが、当該柱材Ｃに予め連結部材Ａを接合しておいてもよいし、柱材Ｃと梁材Ｂとの交点部分において柱材Ｃの側面に先に説明した張出部３を設けておくことも可能である。
【図面の簡単な説明】
【００１７】
【図１】本考案の柱材と梁材との連結構造の概略図。
【図２】本考案の連結部材の内部概略図。
【符号の説明】
【００１８】
１    鋼管
２    主筋
３    張出部
４    板材
５    スターラップ
Ａ    連結部材
Ｂ    梁材
Ｃ    柱材
【図１】
0003126689.tif 000003
【図２】
0003126689.tif 000004